【手続補正書】
【提出日】平成28年12月22日(2016.12.22)
【手続補正１】
【補正対象書類名】特許請求の範囲
【補正対象項目名】全文
【補正方法】変更
【補正の内容】
【特許請求の範囲】
【請求項１】
ベース板と、
四つの辺を有する第一の半導体チップと、
前記第一の半導体チップの第１の辺に隣接して配置された一辺を含む四つの辺を有し、前記ベース板にはんだ付けされた第二の半導体チップと、
前記第一の半導体チップの第２の辺に隣接して配置された一辺を含む四つの辺を有し、前記ベース板にはんだ付けされた第三の半導体チップとを備え、
前記第一の半導体チップの第３の辺または第４の辺の少なくとも一方は、前記ベース板の側端に隣接して配置され、
前記第一の半導体チップの第１の辺から前記第二の半導体チップの前記一辺までの距離の１／２の距離と、前記第一の半導体チップの第２の辺から前記第三の半導体チップの前記一辺までの距離の１／２の距離と、前記ベース板の前記側端に隣接して配置された前記第一の半導体チップの前記第３の辺または前記第４の辺から前記ベース板の側端までの距離とのうち、最も短い距離となる箇所の辺に形成された前記第一の半導体チップのはんだフィレットの長さが最も短く形成されている、パワーモジュール。
【請求項２】
請求項１に記載のパワーモジュールにおいて、
前記第一の半導体チップの前記第１の辺から前記第二の半導体チップの前記一辺までの距離の１／２の距離および前記第一の半導体チップの前記第２の辺から前記第三の半導体チップの前記一辺までの距離の１／２の距離が、前記ベース板の前記側端に隣接して配置された前記第一の半導体チップの前記第３の辺または第４の辺から前記ベース板の側端までの距離より短く、
前記第一の半導体チップの前記第１の辺および前記第２の辺に形成された前記はんだフィレットの長さが、それぞれ、前記ベース板の前記側端に隣接する前記第一の半導体チップの前記第３の辺または前記第４の辺に形成された前記はんだフィレットの長さよりも短く形成されている、パワーモジュール。
【請求項３】
請求項２に記載のパワーモジュールにおいて、
前記第一の半導体チップの前記第１の辺と前記第２の辺とは、相互に隣接する辺であり、前記第一の半導体チップの前記第３の辺および前記第４の辺は、それぞれ、前記ベース板の相互に隣接する第１の側端および第２の側端に隣接して配置されており、前記第一の半導体チップの前記第１の辺および前記第２の辺に形成されたはんだフィレットの長さが、それぞれ、前記第一の半導体チップの前記第３の辺および前記第４の辺に形成された前記はんだフィレットの長さのいずれよりも短く形成されている、パワーモジュール。
【請求項４】
請求項２に記載のパワーモジュールにおいて、
前記第一の半導体チップの前記第１の辺と前記第２の辺とは、相互に対向する一対の辺であり、前記第一の半導体チップの前記第３の辺または前記第４の辺の少なくとも一方が、前記ベース板の前記側端に隣接して配置されており、前記第一の半導体チップの前記第１の辺および前記第２の辺に形成された前記はんだフィレットの長さが、前記ベース板の前記側端に隣接して配置された前記第一の半導体チップの前記第３の辺または前記第４の辺に形成された前記はんだフィレットの長さよりも短く形成されている、パワーモジュール。
【請求項５】
請求項４に記載のパワーモジュールにおいて、
前記第一の半導体チップの第３の辺および前記第４の辺は、それぞれ、前記ベース板の前記側端に隣接して配置されており、
前記第一の半導体チップの前記第１の辺および前記第２の辺に形成された前記はんだフィレットの長さが、それぞれ、前記第一の半導体チップの前記第３の辺および前記第４の辺に形成されたはんだフィレットの長さのいずれよりも短く形成されている、パワーモジュール。
【請求項６】
請求項４に記載のパワーモジュールにおいて、
さらに、前記第一の半導体チップの前記第３の辺に隣接して配置された第４の半導体チップを備え、
前記第一の半導体チップの前記第４の辺が前記ベース板の前記側端に隣接して配置され、
前記第一の半導体チップの前記第１の辺および前記第２の辺に形成された前記はんだフィレットの長さが、それぞれ、前記第一の半導体チップの第３の辺および前記第４の辺に形成された前記はんだフィレットの長さのいずれよりも短く形成されている、パワーモジュール。
【請求項７】
請求項１に記載のパワーモジュールにおいて、
前記第一の半導体チップの前記第１の辺と前記第２の辺とは、相互に対向する一対の辺であり、
前記第一の半導体チップの前記第３の辺と前記第４の辺とは、相互に対向する他の一対の辺であり、
前記第一の半導体チップの前記第３の辺および前記第４の辺の少なくとも一方は、前記ベース板の前記側端に隣接して配置され、
前記第一の半導体チップの前記第１の辺に形成された前記はんだフィレットの長さが、前記第一の半導体チップの前記第２の辺、および前記ベース板の前記側端に隣接して配置された前記第３の辺または前記第４の辺に形成された前記はんだフィレットの長さのいずれよりも短く形成されている、パワーモジュール。
【請求項８】
請求項１に記載のパワーモジュールにおいて、
前記第一の半導体チップの前記第１の辺と前記第２の辺とは、相互に対向する一対の辺であり、
前記第一の半導体チップの前記第３の辺と前記第４の辺とは、相互に対向する他の一対の辺であり、
前記第一の半導体チップの前記第３の辺または前記第４の辺の少なくとも一方は、前記ベース板の側端に隣接して配置され、
前記ベース板の前記側端に隣接して配置された前記第一の半導体チップの前記第３の辺または前記第４の辺から前記ベース板の前記側端までの距離は、前記第一の半導体チップの前記第１の辺から前記第二の半導体チップの前記一辺までの１／２の距離および前記第一の半導体チップの前記第２の辺から前記第三の半導体チップの前記一辺までの１／２の距離のいずれより短く、
前記ベース板の前記側端に隣接して配置された前記第一の半導体チップの前記第３の辺または前記第４の辺に形成された前記第一の半導体チップの前記はんだフィレットの長さが、前記第一の半導体チップの前記第１の辺および前記第２の辺に形成された前記はんだフィレットの長さのいずれよりも短く形成されている、パワーモジュール。
【請求項９】
請求項８に記載のパワーモジュールにおいて、
前記第一の半導体チップの第３の辺および前記第４の辺は、それぞれ、前記ベース板の前記側端に隣接して配置されており、
前記第一の半導体チップの前記第３の辺および第４の辺に形成された前記はんだフィレットの長さが、前記第一の半導体チップの前記第１の辺および前記第２の辺に形成された前記はんだフィレットの長さよりも短く形成されている、パワーモジュール。
【請求項１０】
請求項９に記載のパワーモジュールにおいて、  さらに、前記第一の半導体チップの前記第３の辺に隣接して配置された第四の半導体チップを備え、
前記第一の半導体チップの前記第４の辺が前記ベース板の前記側端に隣接して配置され、
前記第一の半導体チップの前記第３の辺および前記第４の辺に形成された前記はんだフィレットの長さが、それぞれ、前記第一の半導体チップの第１の辺および前記第２の辺に形成された前記はんだフィレットの長さよりも短く形成されている、パワーモジュール。
【請求項１１】
請求項１乃至１０のいずれか１項に記載のパワーモジュールにおいて、
前記第一の半導体チップの前記四つの辺に形成された前記はんだフィレットは、前記半導体チップの二辺に形成された長さが、それぞれ、前記第一の半導体チップの他の二辺に形成された前記はんだフィレットの長さのいずれより短く形成されている、パワーモジュール。
【請求項１２】
請求項１１に記載のパワーモジュールにおいて、
さらに、前記ベース板に対向して配置された別のベース板を備え、
前記第一、第二、第三の半導体チップは、それぞれ、一面が前記ベース板にはんだ付けされ、他面が前記別のベース板にはんだ付けされ、
前記第一の半導体チップの各辺に形成された前記はんだフィレットのうち、少なくとも最も長い前記はんだフィレットに対向する前記別のベース板の前記ベース板との対向面側に凹部が形成されている、パワーモジュール。
【請求項１３】
第１のベース板と、
前記第１のベース板に対向して配置され、前記第１のベース板との対向面側に突出部が形成された第２のベース板と、
第１の面および前記第１の面に対向する第２の面を有し、前記第１の面が第１のはんだにより前記第１のベース板にはんだ付けされ、前記第２の面が第２のはんだにより前記第２のベース板の前記突出部にはんだ付けされた、四辺を有する半導体チップとを備え、
前記半導体チップの前記第１の面の前記四辺のそれぞれに形成された前記第１のはんだのはんだフィレットは、少なくとも前記半導体チップの一辺に形成された長さが他の三辺のいずれかに形成された長さとは異なっており、
前記半導体チップの前記第２の面の前記四辺のそれぞれに形成された前記第２のはんだのはんだフィレットの長さは、前記半導体チップの前記第１の面の前記四辺のそれぞれに形成された前記第１のはんだの前記はんだフィレットの長さのいずれよりも短く形成されている、パワーモジュール。
【請求項１４】
請求項１３に記載のパワーモジュールにおいて、
前記半導体チップの前記第１の面の前記四辺のそれぞれに形成された前記第１のはんだの前記はんだフィレットは、前記半導体チップの前記第１の面の二辺に形成された長さが、それぞれ、前記半導体チップの前記第１の面の他の二辺に形成された前記はんだフィレットの長さのいずれより短く形成されている、パワーモジュール。
【手続補正２】
【補正対象書類名】明細書
【補正対象項目名】００９１
【補正方法】削除
【補正の内容】